(57)【特許請求の範囲】
【請求項１】
複数のソーラーパネルを用いた太陽光発電システムを管理する太陽光発電管理装置であって、
単一の前記ソーラーパネル又は所定数のソーラーパネルからなるパネル群のいずれかを単位発電モジュールとして、複数の前記単位発電モジュールの出力電流値又は出力電圧値をそれぞれ検知する出力検知器と、
前記単位発電モジュールの出力配線を、売電側配線及び蓄電側配線のいずれかに接続するように切り替える切り替え装置と、
前記出力検知器と接続され、前記出力検知器からの検知情報を受け取って前記太陽光発電システムの稼動状況をディスプレイに表示させる計算機と、を備え、
前記計算機は、
前記出力検知器の検知情報を取得する検知情報取得手段と、
前記検知情報を利用して前記切り替え装置を制御する切り換え制御手段と、
前記ディスプレイに対して、複数の前記単位発電モジュールに対応する複数の表示枠を同時に表示させる表示管理手段と、
前記検知情報取得手段が得た前記検知情報のレベルに対応して、前記表示枠内に表示させる情報の色レベルを設定する表示色設定手段と、
を有し、
前記ディスプレイの前記複数の表示枠内の色レベルによって、複数の前記単位発電モジュールの稼動状況を視覚的に監視可能にし、
前記切り換え制御手段は、前記売電側配線の売電上限値を参照して、複数の前記単位発電モジュールの出力合計が前記売電上限値に近似するように、複数の前記単位発電モジュールの中から一部の前記単位発電モジュールを選択して前記売電側配線に接続し、一方、残部の前記単位発電モジュールを前記蓄電側配線に接続するように切り替えるよう前記切り替え装置を制御する
ことを特徴とする太陽光発電管理装置。
【請求項２】
前記一部の前記単位発電モジュールの出力は、前記売電側配線を介して共通のパワーコンディショナーに供給され、
前記残部の前記単位発電モジュールの出力は、前記蓄電側配線を介して共通のバッテリーに供給されることを特徴とする、
請求項１に記載の太陽光発電管理装置。
【請求項３】
前記計算機は、
前記単位発電モジュールの異常を検知するための異常条件を設定する異常条件設定手段と、
前記検知情報が前記異常条件を満たすか否か判定し、前記異常条件を満たす場合は前記表示枠内に異常情報を表示させる異常判定手段を備えることを特徴とする、
請求項１又は２に記載の太陽光発電管理装置。
【請求項４】
前記計算機の前記異常条件設定手段は、
前記単位発電モジュール毎に異なる条件を設定可能とすることを特徴とする、
請求項３に記載の太陽光発電管理装置。
【請求項５】
前記計算機の前記異常条件設定手段は、
特定の前記単位発電モジュールの前記異常条件として、特定の前記単位発電モジュールに隣接する前記単位発電モジュールの前記検知情報を用いることを特徴とする、
請求項３又は４に記載の太陽光発電管理装置。
【請求項６】
前記計算機の前記異常条件設定手段は、
特定の前記単位発電モジュールの前記異常条件として、特定の前記単位発電モジュールの過去の前記検知情報を用いることを特徴とする、
請求項３乃至５のいずれかに記載の太陽光発電管理装置。
【請求項７】
複数の前記単位発電モジュールの出力配線を集約する接続箱を備え、
前記接続箱内に、前記出力配線の出力電流値又は出力電圧値を検知する前記出力検知器を一緒に収容させることを特徴とする、
請求項１乃至６のいずれかに記載の太陽光発電管理装置。
【請求項８】
前記計算機における前記表示管理手段は、
現地の単位発電モジュールの配置レイアウトと一致する状態で、前記ディスプレイに複数の前記表示枠を表示させることを特徴とする、
請求項１乃至７のいずれかに記載の太陽光発電管理装置。
【請求項９】
前記出力検知器と前記計算機を無線通信によって接続する無線通信端末を備えることを特徴とする、
請求項１乃至８のいずれかに記載の太陽光発電管理装置。
【発明の詳細な説明】
【技術分野】
【０００１】
本発明は、複数のソーラーパネルを用いた太陽光発電システムを管理する太陽光発電管理装置に関し、例えば、多数のソーラーパネルを用いるいわゆるメガソーラーに好適な装置に関する。
【背景技術】
【０００２】
従来、環境保全の観点から、住宅用途や産業用途として複数のソーラーパネルを用いた太陽光発電システムが利用されている。例えば住宅用途の場合は、屋根に太陽光発電システムを設置し、発電された電力を日常生活で利用し、余剰電力を電力会社に売電する。【０００３】
近年、電力供給時の環境負荷を一層軽減させるために、広大な土地に数百から数千枚のソーラーパネルを配置するメガソーラーが注目されている。このメガソーラーは、例えば、出力１メガワットを超える大規模な太陽光発電システムであり、再生可能エネルギーの基幹電源として期待される。日本国では、再生可能エネルギーの固定価格買取制度もあり、これによって、メガソーラーで発電された電力を、電力会社に一定の金額で買い取らせることができる。このメガソーラーは、遊休地の有効活用にもつながるので、自治体が民間企業と提携して事業を展開する動きもある。
【発明の概要】
【発明が解決しようとする課題】
【０００４】
メガソーラーでは、大量のソーラーパネルの全体として出力を管理している。例えば、１０００枚のソーラーパネルを用いたメガソーラーの場合、仮に１枚のソーラーパネルの出力が定格の５０％まで低下したとしても、メガソーラー全体としては０．０５％程度の出力低下にとどまり、そもそも問題にならない。なぜなら、ソーラーパネルのメーカー保証は、１０年間で１０％未満の出力低下となっており、年間１％未満の品質劣化を許容しているからである。換言すると、１０００枚のソーラーパネルを用いたメガソーラーの場合、年間１０枚分相当のソーラーパネルの出力停止は、品質保証の範囲内と考えることができる。【０００５】
一方、投資費用の回収効率を高めたいメガソーラーの運営者は、メーカー保証の許容範囲内であってもソーラーパネルのメンテナンスを丁寧に行い、発電量を常に高く維持することを望む。しかしながら、従来のメガソーラーでは、どのソーラーパネルに異常が生じているかを簡単に判断することができない。だからといって、数百から数千枚のソーラーパネルを現地でチェックすることは、作業負担が膨大となり現実的ではない。【０００６】
本発明は上記問題点に鑑みてなされたものであり、太陽光発電システムのソーラーパネルのメンテナンスを容易化する太陽光発電管理装置を提供することを目的としている。
【課題を解決するための手段】
【０００７】
上記目的を達成する本発明は、複数のソーラーパネルを用いた太陽光発電システムを管理する太陽光発電管理装置であって、単一の前記ソーラーパネル又は所定数のソーラーパネルからなるパネル群のいずれかを単位発電モジュールとして、複数の前記単位発電モジュールの出力電流値又は出力電圧値をそれぞれ検知する出力検知器と、前記出力検知器と接続され、前記出力検知器からの検知情報を受け取って前記太陽光発電システムの稼動状況をディスプレイに表示させる計算機と、を備え、前記計算機は、前記出力検知器の検知情報を取得する検知情報取得手段と、前記ディスプレイに対して、複数の前記単位発電モジュールに対応する複数の表示枠を同時に表示させる表示管理手段と、前記検知情報取得手段が得た前記検知情報のレベルに対応して、前記表示枠内に表示させる情報の色レベルを設定する表示色設定手段と、を有し、前記ディスプレイの前記複数の表示枠内の色レベルによって、複数の前記単位発電モジュールの稼動状況を視覚的に監視可能にすることを特徴とする、太陽光発電管理装置である。【０００８】
上記太陽光発電管理装置に関連して、前記計算機は、前記単位発電モジュールの異常を検知するための異常条件を設定する異常条件設定手段と、前記検知情報が前記異常条件を満たすか否か判定し、前記異常条件を満たす場合は前記表示枠内に異常情報を表示させる異常判定手段を備えることを特徴とする。【０００９】
上記太陽光発電管理装置に関連して、前記計算機の前記異常条件設定手段は、前記単位発電モジュール毎に異なる条件を設定可能とすることを特徴とする。【００１０】
上記太陽光発電管理装置に関連して、前記計算機の前記異常条件設定手段は、特定の前記単位発電モジュールの前記異常条件として、特定の前記単位発電モジュールに隣接する前記単位発電モジュールの前記検知情報を用いることを特徴とする。【００１１】
上記太陽光発電管理装置に関連して、前記計算機の前記異常条件設定手段は、特定の前記単位発電モジュールの前記異常条件として、特定の前記単位発電モジュールの過去の前記検知情報を用いることを特徴とする。【００１２】
上記太陽光発電管理装置に関連して、複数の前記単位発電モジュールの出力配線を集約する接続箱を備え、前記接続箱内に、前記出力配線の出力電流値又は出力電圧値を検知する前記出力検知器を一緒に収容させることを特徴とする。【００１３】
上記太陽光発電管理装置に関連して、前記単位発電モジュールの出力配線を、売電側配線及び蓄電側配線のいずれかに接続するように切り替える切り替え装置を備え、前記計算機は更に、前記検知情報を利用して前記切り替え装置を制御する切り換え制御手段を有することを特徴とする。【００１４】
上記太陽光発電管理装置に関連して、前記計算機の前記切り替え制御手段は、前記売電側配線の売電上限値を参照して、複数の前記単位発電モジュールの出力合計が前記売電上限値に近似するように、前記切り替え装置を制御することを特徴とする。【００１５】
上記太陽光発電管理装置に関連して、前記計算機における前記表示管理手段は、現地の単位発電モジュールの配置レイアウトと一致する状態で、前記ディスプレイに複数の前記表示枠を表示させることを特徴とする。【００１６】
上記太陽光発電管理装置に関連して、前記出力検知器と前記計算機を無線通信によって接続する無線通信端末を備えることを特徴とする。
【発明の効果】
【００１７】
本発明によれば、太陽光発電システムのソーラーパネルの稼動状況を適切に把握することができ、計画的にメンテナンスを行うことが出来るという優れた効果を奏し得る。
【図面の簡単な説明】
【００１８】
【図１】本発明の実施形態に係る太陽光発電管理装置を示す図である。
【図２】同太陽光発電管理装置の接続箱の内部構成を示す図である。
【図３】（Ａ）は同太陽光発電管理装置の計算機の内部構成を示すブロック図であり、（Ｂ）は同計算機の機能構成を示すブロック図である。
【図４】同太陽光発電管理装置のディスプレイの表示状態を示す図である。
【図５】同太陽光発電管理装置のディスプレイの表示状態を示す図である。
【図６】同太陽光発電管理装置のディスプレイの表示状態を示す図である。
【図７】同太陽光発電管理装置の接続箱の内部構成の他の例を示す図である。
【図８】同太陽光発電管理装置のディスプレイの表示状態の他の例を示す図である。
【発明を実施するための形態】
【００１９】
以下、本発明の実施の形態を、添付図面を参照して説明する。
【００２０】
図１には、本発明の実施の形態に係る太陽光発電管理装置１の全体構成が示されている。なお、この太陽光発電管理装置１は、複数のソーラーパネルＰを用いた太陽光発電システムＳの稼動状況を管理する。
【００２１】
太陽光発電システムＳは、一例として、１０００枚のソーラーパネルＰを備えている。ソーラーパネルＰは、４枚のパネル群を一つのセットとして、単位発電モジュールＭとして管理される構造となっている。即ち、４枚のソーラーパネルＰは、互いに直列接続されて単位発電モジュールとしてまとめて電力を出力する。従って、太陽光発電システムＳは、合計２５０個の単位発電モジュールＭを備えることになる。なお、ここでは４枚のソーラーパネルＰをモジュール化する場合を例示するが、例えば１０枚〜２０枚程度のソーラーパネルＰを単位発電モジュールＭとしてもよく、１枚のソーラーパネルＰを単位発電モジュールＭとしても良い。
【００２２】
太陽光発電管理装置１は、単位発電モジュールＭの出力配線Ｈが接続される接続箱１０と、接続箱１０で一つに集約された売電側出力配線１２が接続される売電側集電箱２０と、接続箱１０で一つに集約された蓄電側出力配線１４が接続される蓄電側集電箱６０と、蓄電側集電箱で統合された出力配線６２が接続されるバッテリー７０と、売電側集電箱２０で集約された出力配線２２及びバッテリー７０の出力配線７２が接続されるパワーコンディショナー３０と、接続箱１０内の出力検出器（後述）及び切り替え装置（後述）に有線又は無線通信回線１８を介して接続される計算機４０と、計算機に接続されるディスプレイ５０を備える。なお、ここでは特に図示しないが、バッテリー７０による出力配線７２側への出力電流値は、特に図示しない制御装置によって随時制御される。
【００２３】
接続箱１０には、各々１０個の単位発電モジュールＭの出力配線Ｈが接続される。従って、接続箱１０は２５個用意される。売電側集電箱２０には、各々５個の接続箱１０の売電側出力配線１２が接続される。蓄電側集電箱６０にも、各々５個の接続箱１０の蓄電側出力配線１４が接続される。バッテリー７０は、蓄電側集電箱６０のそれぞれに対応させて設けられており、パワーコンディショナー７０も売電側集電箱２０のそれぞれに対応させて配置される。計算機４０は、全ての接続箱１０に接続されている。このようにして、１０００枚のソーラーパネルＰの出力は、２５０個の単位発電モジュールＭ、２５個の接続箱１０、５個の売電側集電箱２０を経て５系統に集約され、パワーコンディショナー３０で交流に変換されて売電端子９９に供給される。
【００２４】
図２には、接続箱１０の構成が拡大して示されている。接続箱１０は、筐体１００と、筐体１００内の単位発電モジュールＭの各出力配線Ｈに設置されるブレーカ１０２と、筐体１００内に配置される出力検出器１１０と、売電側出力配線１２及び蓄電側出力配線１４の間で出力配線Ｈの接続先を切り替える切り替え装置１２０とを備える。
【００２５】
出力検出器１１０は、各出力配線Ｈに設置されるホール素子タイプのクランプ電流センサ１１２と、クランプ電流センサ１１２のホール電圧を利用して各出力配線Ｈの電流値を検知する電流計１１４を有する。この出力検出器１１０によって、単位発電モジュールＭのそれぞれの出力電流値を検知できることになる。出力検出器１１０による出力電流値情報は、計算機４０に送信される。
【００２６】
切り替え装置１２０は、計算機４０と通信回線１８で接続されており、計算機４０からの指示情報に基づいて出力配線Ｈの接続先を切り替える。具体的には、単位発電モジュールＭ毎に独立して、その出力配線Ｈを売電側出力配線１２及び蓄電側出力配線１４のいずれかに接続するかを選択する。結果、接続箱１０に接続されるすべての単位発電モジュールＭの出力は、単一の売電側出力配線１２、又は単一の蓄電側出力配線１４のいずれかに集約されることになるが、その分配比率が柔軟に変更される。従って、特に売電側出力配線１２から供給される電力に上限が設定される場合は、その上限ギリギリとなるように切り替え装置１２０を制御し、余剰電力をバッテリー７０側に供給する。
【００２７】
なお、ここでは、電流計１１４及び切り替え装置１２０が、有線の通信回線１８によって計算機４０と接続される場合を例示しているが、本発明はこれに限定されず、無線通信によって行うことができる。例えば、図７に示すように、接続箱１０の内部又は周囲に、無線通信端末１４０を設置し、この無線通信端末１４０に、電流計１１４と切り替え装置１２０の通信回線を接続する。一方、計算機４０側にも無線通信端末１５０を接続する。電流計１１４及び切り替え装置１２０の信号と、計算機１１４の信号のやり取りは、この無線通信端末１４０、１５０によって無線で行うことが好ましい。メガソーラーに対して事後的に太陽光発電管理装置１を設置する場合、接続箱１０の数が増大すると共に、通信配線の距離も膨大となるが、このように無線通信回線を利用すれば、現場での施工負担を大幅に軽減することが可能となる。なお、この無線通信端末１４０、１５０は、いわゆる携帯電話会社（キャリア）が提供する無線通信回線を利用しても良いことは言うまでもない。
【００２８】
また、本実施形態のように、一つの接続箱１０の中に出力検出器１０を一緒に収容する結果、単位発電モジュールＭ毎の出力電流の検知が可能となり、また、ブレーカの前後近辺を利用した電流値測定が可能となり、接続箱１０のメンテナンス性が飛躍的に向上する。
【００２９】
図３（Ａ）には、計算機４０のハードウエア構成が示されている。計算機４０は、各種プログラムが実行されるＣＰＵ（中央演算装置）４５、ＣＰＵ５で必要とする情報を一時的に展開するメモリ４６、プログラムや各種データが保存される情報記憶媒体４７、ＬＡＮ回線等が接続されて外部（出力検知器１１０や切り替え装置１２０）との通信を行う通信インターフェース４８等を備えて構成され、出力検知器１１０からの検知情報を受け取って、太陽光発電システムＳの稼動状況をディスプレイ５０に表示させたり、切り替え装置１２０を制御したりする。なお、情報記憶媒体４７は、ハードディスクや書き換え可能な不揮発性メモリ、ＤＡＴやＤＶＤ等の大容量記憶メディア等で構成される。
【００３０】
図３（Ｂ）は、計算機４０において、情報記憶媒体４７に格納される制御プログラム等がＣＰＵ４５で実行されることで実現される機能ブロックが示されている。これらの各機能ブロックの詳細を、図４以降のディスプレイ５０に表示されるユーザインターフェースを利用しながら説明する。
【００３１】
計算機４０は、検知情報取得手段２００、表示管理手段２１０、表示色設定手段２２０、異常条件設定手段２３０、異常判定手段２４０、切り替え制御手段２５０を備える。
【００３２】
検知情報取得手段２００は、通信インターフェース４８を介して、出力検知器１１０の検知情報（出力電流値の情報）を取得して、履歴を含めて情報記憶媒体４７に保存する。
【００３３】
表示管理手段２１０は、図４（Ａ）に示されるように、ディスプレイ５０に対して、複数の単位発電モジュールＭに対応する複数の表示枠２１２を同時に表示させる。具体的にこの表示枠２１２の配置は、現場の単位発電モジュールＭの配置構成と略同一となるように表示される。これにより、ディスプレイ５０における視覚的判断と、現場でのメンテナンス行動の関連性をイメージできる。
【００３４】
具体例として、例えば図８に示すように、現場の単位発電モジュールＭの配置構成に加えて、道路Ｒや森林Ｆ、建物Ｔ、池Ｉなどのイメージ画像も同時に表示しておくことも好ましい。大規模な太陽光発電システムＳの場合、異常が発生した単位発電モジュールＭの場所を特定するまでに時間がかかるが、本実施例のように、ディスプレイ５０の表示枠２１２のレイアウトを、現場のレイアウトと一致させておくことにより、ディスプレイ５０のみで視覚的に単位発電モジュールＭの場所を特定することができ、素早く目的の場所に到達できる。また、ディスプレイ５０の表示枠２１２のレイアウトを、現場のレイアウトと一致させておくことにより、ディスプレイ５０の表示枠２１２に示される各種情報と、現場の地理的環境を、頭の中で関連させながら分析することができる。例えば、特定のエリアの発電効率が悪い場合に、周囲の森Ｆの日陰が原因なのか、その他の要因なのか等について素早く分析することができる。
【００３５】
表示色設定手段２２０は、検知情報取得手段２００が得た検知情報のレベル（出力電流値）に対応して、表示枠２１２内に表示させる情報の色レベルを設定する。具体的に本実施形態では、四角の表示枠２１２内の全体を着色するように表示し、出力電流値に対応させて、色の明度、彩度、色彩の少なくともいずれかを変化させて段階的に表示する。この色段階は、出力電流値の増減を視覚的に認識できるものが良く、例えば、発電量が少ない場合は暗い色（例えば黒）、発電量が大きいときは明るい色（例えば赤）を表示すると分かり易い。同様に発電量が少ない場合は白（無彩色）、発電量が大きいときは赤（有彩色）に変化させることもできる。また、色相環を参考に色彩を変動させることも可能である。更には、表示枠内に文字（例えば出力電流値）を表示させると共に、その文字色を変化させるようにすることもできる。なお、色を表示する範囲（面積）を段階的に変化させることも、本発明の色レベルの定義に含まれる。
【００３６】
このようにすることで、全ての単位発電モジュールＭの稼動状況を、個別具体的かつ視覚的に監視可能となる。例えば、図４（Ａ）では、発電量（電流値）が小さい単位発電モジュールＭの表示枠２１２を灰色、発電量（電流値）が大きい単位発電モジュールＭの表示枠２１２を白として表示している。この表示では、ディスプレイ５０の左下の単位発電モジュールＭの出力電流値が小さいことが分かる。このような事象としては、周囲の木々や建物の影になっている場合の他、ソーラーパネルＰの上に落ち葉等の異物が覆いかぶさっている場合、ソーラーパネルＰ自体が故障している場合、配線やコネクタが断線している場合など、様々な可能性を予め想定できる。
【００３７】
また、このように視覚的に表示することによって、単位発電モジュールＭの異常の有無を極めて簡単に認識できる。例えば、特定の１つの単位発電モジュールＭに対応する表示枠２１２の色が、隣接する周囲の表示枠２１２の色と極端に異なる場合は、その単位発電モジュールＭに何らかの電気的又は機械的トラブルが生じていると運用者が推測できる。また例えば、複数の隣接する単位発電モジュールＭから構成される特定エリア（複数の複数の表示枠２１２）の色が、その周囲の表示枠２１２の色と異なる場合は、個々の単位発電モジュールＭのトラブルではなく、その特定エリア全体の太陽光の照射環境が悪化していると判断できる。例えば、落ち葉やシートが覆いかぶさっていたり、隣接する建物の影になっていたりすることが想定できる。
【００３８】
なお、単位発電モジュールＭに含まれるソーラーパネルＰの数が、部分的に異なる場合は、単位発電モジュールＭの出力電流値（発電量）をパネル数で除した単位パネルの出力値（平均値）を、単位発電モジュールの出力電流値に置きかえることができる。この単位パネル平均値で単位発電モジュールＭに対応する表示訳２１２の色レベルを設定すれば良い。
【００３９】
なお参考であるが、夜中で殆ど発電されない時のディスプレイ５０の状態を図６（Ａ）に、午後２時頃で最も発電量が大きい時のディスプレイ５０の状態を図６（Ｂ）に示しておく。
【００４０】
異常条件設定手段２３０は、単位発電モジュールＭ毎に、その異常を検知するための異常条件を設定する。そして、異常判定手段２４０は、検知情報が異常条件を満たすか否か判定し、異常条件を満たす場合は表示枠２１２内に異常情報を表示させる。異常情報としては、表示枠２１２内を特殊色で表示したり、色はそのままで絵柄を表示したり、警告文字を表示したり、点滅させたり等、様々な手法が考え得る。
【００４１】
例えば図４（Ｂ）には、特定の単位発電モジュールＭが異常条件を満たす結果となり、それに対応するディスプレイ５０の特定の表示枠２１２Ａの異常情報が表示されている場合が示されている。このように、ディスプレイ５０において、異常が発生している場所を視覚的に強調表示させているので、運用者が素早く異常に気づき、即座に現地の単位発電モジュールＭをメンテナンスすることができる。この際、背景の色レベルはそのまま見えるようにしておくことが、原因を推定できる点で好ましい。
【００４２】
具体的に、この異常条件設定手段２３０は、単位発電モジュールＭ毎に異なる条件を設定可能となっている。異常条件の一つの例として「正午の出力電流値が所定閾値を下回る場合」という事例が挙げられる。即ち、時間軸と電流値を組み合わせた異常条件となる。この際、ある特定の単位発電モジュールＭに関しては、正午になると周囲の建造物の影に入り込んでしまい、出力電流値が必ず小さくなる場合もある。このような特定の単位発電モジュールＭについては、所定閾値を個別に小さく設定しておき、無駄に異常表示を行うことを回避する。また例えば特定の単位発電モジュールＭについて異常が生じていることを把握しつつも、メンテナンスを行わないと判断した場合は、その異常表示を個別に解除できる。なお、このような個々の異常条件は、キーボード等の情報入力装置やディスプレイ５０のタッチセンサを利用して運用者によって設定される。
【００４３】
更にこの異常条件設定手段２３０は、特定の単位発電モジュールＭの異常条件として、この単位発電モジュールＭに隣接する単位発電モジュールＭの検知情報（出力電流値情報）を参照している。具体的に例えば、図５（Ａ）に示されるように、特定の単位発電モジュールＭに対応する表示枠２１２Ａの異常条件を「表示枠２１２Ａの電流値と、それに隣接する合計８つの表示枠２１２Ｇとの出力電流値平均の差が、所定閾値を上回る場合」と設定する事例が挙げられる。このような異常条件によれば、急激な悪天候によって特定の単位発電モジュールＭの出力電流値が極端に低下しても、周囲の単位発電モジュールＭの出力電流値との差が小さければ、表示枠２１２Ａの異常表示を回避できる。
【００４４】
また更に、この異常条件設定手段２３０は、所定期間（例えば５分毎のデータ取得で過去１年間分）の出力電流値の履歴（ログ）を記憶するようにし、特定の単位発電モジュールＭの異常条件として、同じ単位発電モジュールＭの過去の検知情報を用いることが好ましい。具体的な異常条件として、例えば「同一時刻における過去１週間分の出力電流値平均と現在の出力電流値の差が所定閾値を上回る場合」という事例が挙げられる。このように過去直近の出力電流値のデータを用いて異常条件を設定すると、季節変動（例えば真夏と真冬）による出力電流値に期間変化が生じた場合に、異常表示となることを回避できる。同様に、ソーラーパネル自体が次第に劣化するような場合も、異常表示となることを回避できる。
【００４５】
切り換え制御手段２５０は、単位発電モジュールＭ毎の検知情報（出力電流値）を利用して、接続箱１０内の切り替え装置１２０を制御する。具体的には、何らかの故障により出力電流値の変動が大きい単位発電モジュールＭは、蓄電側出力配線１４を介してバッテリー７０に電流を供給するようにし、売電量を安定化させるように制御することができる。とりわけ、売電側配線１２において、売電上限電力（それ以上売電してはならない電力）が設定される場合は、その情報を参照して、複数の単位発電モジュールＭの出力合計が売電上限値にできる限り近づくように、切り替え装置を制御する。例えば、太陽光発電システムＳの総出力が売電上限値を超えている場合は、出力の小さい単位発電モジュールＭから順番にバッテリー７０側に切り替えて電流を供給するようにし、売電側出力値が、売電上限値より小さくなるように制御する。このようにすると、売電側に効率の良い単位発電モジュールＭを自動的に割り当てることが可能となる。
【００４６】
以上、本実施形態の太陽光発電管理装置１によれば、単位発電モジュールＭの個々の稼動状態を、ディスプレイ５０の色情報として表示させるため、稼動トラブル等の事象を極めて素早く簡単に把握することが可能になる。また、現地の単位発電モジュールＭの配置と、ディスプレイ５０に表示される単位発電モジュールＭの配置を一致させることで、現地で迷うことなく、目的の単位発電モジュールＭに到達することができ、結果としてメンテナンス時間を短縮することができる。
【００４７】
更に、本実施形態の太陽光発電管理装置１によれば、単位発電モジュールＭの異常を高精度に判定できるので、無駄のないメンテナンス作業を実現できる。
【００４８】
また更に、本実施形態の太陽光発電管理装置１によれば、出力検知結果を利用して、売電と蓄電の配線切り替えを、単位発電モジュール毎に行うことが可能となり、全体としての出力の最適化を図ることが出来る。
【００４９】
なお、ここでは特に図示しないが、計算機４０で実現される機能ブロックとして、メンテナンス履歴記録手段を備えることが好ましい。このメンテナンス履歴記録手段は、各単位発電モジュールＭに対応して、作業者によるメンテナンス履歴を記録・保存できるようになっている。例えば、故障により、特定のソーラーパネルＰを新品に交換した場合は、性能の違いによって、その出力値が旧式のソーラーパネルＰと異なる場合がある。このような場合であっても、ディスプレイ５０上でメンテナンス履歴を参照することで、その出力値の違いが、パネル交換に起因するものであることを、即座に把握することが可能となる。
【００５０】
なお、本実施形態では、出力電流値を検知する場合を例示したが、出力電圧値を検知することも勿論可能である。
【００５１】
また、本発明の太陽光発電管理装置は、上記した実施の形態に限定されるものではなく、本発明の要旨を逸脱しない範囲内において種々変更を加え得ることは勿論である。
【符号の説明】
【００５２】
１      太陽光発電管理装置
１０    接続箱
２０    売電側集電箱
３０    パワーコンディショナー
４０    計算機
５０    ディスプレイ
６０    蓄電側集電箱
７０    バッテリー
【図１】
0005921786.tif 000002
【図２】
0005921786.tif 000003
【図３】
0005921786.tif 000004
【図４】
0005921786.tif 000005
【図５】
0005921786.tif 000006
【図６】
0005921786.tif 000007
【図７】
0005921786.tif 000008
【図８】
0005921786.tif 000009